(57)【特許請求の範囲】
【請求項１】
ポンプシリンダ（１１）内で案内されるポンプピストン（１３）を備える燃料ポンプ（１０）、とりわけコモンレール燃料システムの高圧燃料ポンプであって、前記ポンプピストン（１３）が案内される前記ポンプシリンダ（１１）の切欠部（１２）の領域には、少なくとも１つのインレット孔部（２０）を介して第１の圧力レベルに連通された上方インレット溝（１７）と少なくとも１つのアウトレット孔部（２２）を介して第２の圧力レベルに連通された下方アウトレット溝（１９）とが、潤滑および場合により冷却に用いられる燃料のために形成されている、燃料ポンプにおいて、
前記ポンプシリンダ（１１）の前記切欠部（１２）の領域において前記上方インレット溝（１７）と前記下方アウトレット溝（１９）との間には、さらなる中央インレット溝（１８）が形成されており、前記中央インレット溝（１８）は、少なくとも１つのインレット孔部（２１）を介して前記第１の圧力レベルに連通されており、前記下方アウトレット溝（１９）の上方エッジ（２３）と前記中央インレット溝（１８）の下方エッジ（２４）との間には、前記ポンプピストン（１３）のための第１の案内ウェブ（２５）が形成されており、前記中央インレット溝（１８）の上方エッジ（２６）と前記上方インレット溝（１７）の下方エッジ（２７）との間には、前記ポンプピストン（１３）のための第２の案内ウェブ（２８）が形成され、
前記中央インレット溝（１８）は、前記ポンプピストン（１３）のピストンストローク（Ａ）よりも大きな軸方向の溝の高さ（Ｂ）を有し、前記中央インレット溝（１８）の軸方向の溝の高さ（Ｂ）に対しては、Ｂ＞Ａ−Ｃ１が当てはまり、
ここで、Ａは前記ポンプピストン（１３）のピストンストロークであり、Ｃ１は前記下方アウトレット溝（１９）の前記上方エッジ（２３）と前記中央インレット溝（１８）の前記下方エッジ（２４）との間の軸方向の間隔である、ことを特徴とする燃料ポンプ。
【請求項２】
前記ポンプシリンダ（１１）の前記切欠部（１２）の領域では、前記下方アウトレット溝（１９）の下方で、前記ポンプシリンダ（１１）の溝（２９）の中にスクレーパエレメント（３０）が収容されている、ことを特徴とする請求項１に記載の燃料ポンプ。
【請求項３】
前記中央インレット溝（１８）の軸方向の溝の高さ（Ｂ）に対しては、Ｂ＞Ａ−Ｃ１−Ｄが当てはまり、
ここで、Ａは前記ポンプピストン（１３）のピストンストロークであり、Ｃ１は前記下方アウトレット溝（１９）の前記上方エッジ（２３）と前記中央インレット溝（１８）の前記下方エッジ（２４）との間の軸方向の間隔であり、Ｄは前記下方アウトレット溝（１９）の前記上方エッジ（２３）から前記スクレーパエレメント（３０）の接触点（３１）までの軸方向の間隔である、ことを特徴とする請求項２に記載の燃料ポンプ。
【請求項４】
前記中央インレット溝（１８）に至る１以上の前記インレット孔部（２１）は、少なくとも部分的に、前記上方インレット溝（１７）に至る１以上の前記インレット孔部（２０）よりも小さな横断面を有し、これにより、前記上方インレット溝（１７）において前記中央インレット溝（１８）におけるよりも高い供給圧が存在する、ことを特徴とする請求項１から３のいずれか一項に記載の燃料ポンプ。
【請求項５】
前記中央インレット溝（１８）に至る１以上の前記インレット孔部（２１）は、前記中央インレット溝（１８）の下方エッジ（２４）に隣接して前記中央インレット溝（１８）に開口している、ことを特徴とする請求項１から４のいずれか一項に記載の燃料ポンプ。
【請求項６】
前記中央インレット溝（１８）に至る１以上の前記インレット孔部（２１）は、前記中央インレット溝（１８）の前記下方エッジ（２４）に対して面一に前記中央インレット溝（１８）に開口している、ことを特徴とする請求項５に記載の燃料ポンプ。
【請求項７】
前記インレット溝（１７、１８）は、前記インレット孔部（２０、２１）を介して前記コモンレール燃料システムの低圧領域に接続可能である、ことを特徴とする請求項１から６のいずれか一項に記載の燃料ポンプ。
【請求項８】
前記アウトレット溝（１９）は、１以上の前記アウトレット孔部（２２）を介して前記コモンレール燃料システムの領域に接続可能であり、前記領域は周囲圧にある、ことを特徴とする請求項１から７のいずれか一項に記載の燃料ポンプ。
【請求項９】
前記案内ウェブ（２５、２８）は、ワニス形成の際に生じる付着力であって、前記案内ウェブ（２５、２８）の面積に依存する前記案内ウェブ（２５、２８）での前記ポンプピストン（１３）の付着力が、駆動バネ（１５）の復帰力よりも小さくなるように寸法設定されている、ことを特徴とする請求項１から８のいずれか一項に記載の燃料ポンプ。
【発明の詳細な説明】
【技術分野】
【０００１】
本発明は、請求項１のプリアンブルによる燃料ポンプ、とりわけコモンレール燃料システムの高圧燃料ポンプに関する。
【背景技術】
【０００２】
燃料ポンプはポンプシリンダを有し、このポンプシリンダ内ではポンプピストンが可動に支承または案内される。ポンプピストンは、ポンプシリンダ内で１以上のカムを介して上下運動され、これにより、燃料が吸引され、燃料ポンプから消費装置に、つまり例えば燃料システムの噴射弁に供給される。
【０００３】
実際に公知の燃料ポンプは、ポンプピストンが可動に支承されたポンプシリンダの領域に、１以上のリンケージ溝を有し、これにより、ポンプシリンダとポンプピストンとの間に発生する漏れ燃料を排出する。とりわけ、燃料により潤滑され、場合により冷却される燃料ポンプが、燃料として重油が用いられる燃料システムで使用される場合、燃料ポンプの潤滑および場合により冷却に用いられる重油とカムの領域に使用される潤滑剤との反応によって、ポンプピストンおよび／またはポンプシリンダにワニス(Verlackung)と呼ばれる堆積物が形成されることがあり、この堆積物は、ポンプピストンとポンプシリンダとの間の案内領域において、ポンプピストンとポンプシリンダとの間の案内クリアランスを低減する。これにより、最終的に燃料ポンプにピストン焼き付き(Kolbenfresser)が形成されることがあり、そのため、この場合、燃料ポンプはもはや駆動できなくなる。したがって、ポンプピストンとポンプシリンダとの間の案内クリアランスを低減するこの種のワニスは、できる限り回避しなければならない。
【０００４】
特許文献１から、ポンプシリンダの領域に形成された２つのリーケージ溝を備える燃料ポンプが公知であり、これらのリーケージ溝を介して、ポンプシリンダとポンプピストンとの間に発生する漏れ燃料を排出することができる。すなわち燃料システムおよび／または無圧でリーケージ循環路に排出することができる。ここではポンプピストンおよび／またはポンプシリンダにおけるワニスを低減するために、２つのリーケージ溝がポンプピストンを収容するポンプシリンダの切欠部の下方三分の一の箇所に位置決めされている。
【０００５】
特許文献２から、ポンプシリンダとポンプシリンダの切欠部内に案内されるポンプピストンとを備える燃料ポンプが公知である。ここではポンプピストンを案内するポンプシリンダの切欠部の領域内に、一方では上方インレット溝が、他方では下方アウトレット溝が、燃料ポンプの潤滑および場合により冷却に用いられる燃料のために形成されており、上方インレット溝を介してポンプピストンの潤滑および冷却のために燃料を供給することができ、下方アウトレット溝を介して潤滑および冷却に使用された燃料を排出することができる。ここで特許文献２によれば、ワニスを低減するためにポンプピストンは、ポンプピストン内に取り付けられた中空空間を介して、インレット溝を介して供給されアウトレット溝を介して排出される燃料によって、内部から冷却可能である。
【０００６】
従来技術から公知の燃料ポンプにより、ポンプピストンおよび／またはポンプシリンダにおけるワニスをすでにある程度低減することができるが、一方ではポンプピストンおよび／またはポンプシリンダに対するワニス形成の危険性が低減された燃料ポンプが、他方ではポンプシリンダの切欠部内においてポンプピストンに対して最適の案内が保証される燃料ポンプが必要である。
【先行技術文献】
【特許文献】
【０００７】
【特許文献１】独国特許出願公開第１０２００７０１９９０９号明細書
【特許文献２】独国特許出願公開第１０２００６０４９７５９号明細書
【発明の概要】
【発明が解決しようとする課題】
【０００８】
ここから出発して本発明の基礎とする課題は、ワニス形成の危険性が低減されている新規の燃料ポンプを創出することである。
【課題を解決するための手段】
【０００９】
この課題は、請求項１による燃料ポンプによって解決される。本発明によれば、ポンプシリンダの切欠部の領域には上方インレット溝と下方アウトレット溝との間には、さらなる中央インレット溝が形成されており、この中央インレット溝は、少なくとも１つのインレット孔部を介して第１の圧力レベルに連通されており、下方アウトレット溝の上方エッジと中央インレット溝の下方エッジとの間には、ポンプピストンのための第１の案内ウェブが形成されており、中央インレット溝の上方エッジと上方インレット溝の下方エッジとの間には、ポンプピストンのための第２の案内ウェブが形成されている。本発明の燃料ポンプでは、一方ではポンプピストンおよびポンプシリンダの領域におけるワニス形成の危険性が低減されており、他方ではポンプシリンダ内でのポンプピストンの最適の案内が保証される。
【００１０】
好ましくは、中央インレット溝は、ポンプピストンのピストンストロークＡよりも大きな軸方向の溝の高さＢを有し、中央インレット溝の軸方向の溝の高さＢに対しては、とりわけＢ＞Ａ−Ｃ１が当てはまり、ここで、Ａはポンプピストンのピストンストロークであり、Ｃ１は、下方アウトレット溝の上方エッジと中央インレット溝の下方エッジとの間の軸方向の間隔である。中央インレット溝に対する溝の高さのこの構成は、ワニス形成の危険性を低減するために特に好ましい。
【００１１】
本発明の有利な一発展形態によれば、ポンプシリンダの切欠部の領域内では下方アウトレット溝の下方で、スクレーパエレメントがポンプシリンダの溝の中に収容されており、ここで中央インレット溝の軸方向の溝の高さＢに対しては、とりわけＢ＞Ａ−Ｃ１−Ｄが当てはまり、ここでＡはポンプピストンのピストンストロークであり、Ｃ１は下方アウトレット溝の上方エッジと中央インレット溝の下方エッジとの間の軸方向の間隔であり、Ｄは下方アウトレット溝の上方エッジとスクレーパエレメントの接触点との間の軸方向の間隔である。中央インレット溝のこの溝の高さにより、特に有利にワニス形成の危険性を低減することができる。
【００１２】
好ましくは、中央インレット溝に至る１つのまたは各インレット孔部は、少なくとも部分的に、上方インレット溝に至る１つのまたは各インレット孔部よりも小さな横断面を有し、これにより、上方インレット溝においては中央インレット溝におけるよりも高い供給圧が存在する。このことは、ワニス形成の危険性のさらなる低減に有利である。
【００１３】
本発明の好ましい発展形態は、従属請求項および以下の説明から得られる。本発明の実施例を、これに制限することなく図面に基づきより詳細に説明する。
【図面の簡単な説明】
【００１４】
【図１】燃料ポンプの概略断面図である。
【発明を実施するための形態】
【００１５】
本発明は、燃料ポンプ、とりわけ、例えば船舶ディーゼル内燃機関のような重油により駆動される内燃機関のためのコモンレール燃料システムの高圧燃料ポンプに関するものである。
【００１６】
図１は、本発明の燃料ポンプ１０の断面を示しており、燃料ポンプ１０は、ポンプシリンダ１１と、このポンプシリンダ１１の切欠部１２内に可動に支承されたポンプピストン１３と、を有する。ポンプピストン１３は、ポンプシリンダ１１の切欠部１２内で上下運動可能または往復運動可能であり、すなわちカム１４を介して調整される。カム１４は、駆動カムとも称される。カム１４に起因するポンプピストン１３の運動は、駆動バネとも称される復帰バネ１５により提供される復帰力に対抗作用する。この駆動バネ１５は、一方ではポンプシリンダ１１に、他方ではポンプピストン１３と結合された支持エレメント１６に支持されている。
【００１７】
図１に図示された燃料ポンプ１０はコモンレール燃料システムの高圧燃料ポンプであり、この種の高圧燃料ポンプは、燃料をコモンレール燃料システムの低圧領域から吸引し、圧縮し、コモンレール燃料システムの高圧領域に提供する。ここで、ポンプピストン１３は、ポンプシリンダ１１の切欠部１２内での燃料の圧縮に用いられ、ここでポンプシリンダ１１の切欠部１２内でポンプピストン１３を介して圧縮された燃料は、ポンプシリンダ１１の高圧孔部３２を介して、コモンレール燃料システムの高圧領域への方向に搬送することができる。
【００１８】
この種の燃料ポンプ１０は、燃料により潤滑され、場合により冷却され、したがって、それによれば、ポンプシリンダ１１の切欠部１２内で可動に案内されるポンプピストン１３の潤滑および場合により冷却のために燃料が用いられる。とりわけ燃料ポンプ１０が燃料として重油を吸引し、圧縮する場合には、ポンプピストン１３の潤滑にも用いられる重油が、カム１４の領域でこのカムの潤滑のために使用され、駆動バネ１５の周囲領域へ、ひいてはポンプシリンダ１１から突出するポンプピストン１３の部分の領域へと広がる潤滑剤と反応する危険性が存在する。そして、この場合に燃料とカム１４の領域で使用される潤滑剤との反応生成物は、いわゆるワニスとしてポンプピストン１３の領域に、および／またはポンプピストン１３のストローク運動の結果、ポンプシリンダ１１の切欠部１２の領域に堆積することがあり、このワニスは、ポンプピストン１３とポンプシリンダ１１との間の案内クリアランスを低減する。案内クリアランスが減少すると、ポンプピストン１３のピストン焼き付けを引き起こし得る。そして、本発明は、ポンプピストン１３および／またはポンプシリンダ１１におけるワニス形成の危険性を低減することができ、ポンプシリンダ１１の切欠部１２の領域でのポンプピストン１３の最適の案内が保証される燃料ポンプ１０の詳細に関するものである。
【００１９】
すでに述べたように、ポンプシリンダ１１の切欠部１２内で可動に案内されるポンプピストン１３の潤滑および場合により冷却のために燃料が用いられる。ポンプシリンダ１１の切欠部１２の領域には、複数のインレット溝１７、１８と１つのアウトレット溝１９が、ポンプピストン１３の潤滑および場合により冷却に用いられる燃料のために形成されている。すなわち、上方インレット溝１７、下方アウトレット溝１９、および上方インレット溝１７と下方アウトレット溝１９との間に位置決めされた中央インレット溝１８が形成されている。したがって軸方向に、すなわちポンプピストン１３の運動方向で見て、中央インレット溝１８は上方インレット溝１７と下方アウトレット溝１９との間に位置決めされている。
【００２０】
上方インレット溝１７は、少なくとも１つの上方インレット孔部２０を介して第１の圧力レベルに、中央インレット溝１８は、少なくとも１つの中央インレット孔部２１を介して第１の圧力レベルに、とりわけコモンレール燃料システムの低圧領域に連通されており、これに対して、下方アウトレット溝１９は、少なくとも１つのアウトレット孔部２２を介して第２の圧力レベルに、とりわけ周囲圧レベルに連通されている。したがって、インレット孔部２０、２１を介して、すなわち２つのインレット溝１７、１８を介して、潤滑および場合により冷却に用いられる燃料をシリンダピストン１３への方向に搬送することができる。ここでは、アウトレット溝１９および当該アウトレット溝１９と共同作用する１つのまたは各アウトレット孔部２２を介して、潤滑および場合により冷却に使用された燃料をポンプピストン１３から排出することができる。下方アウトレット溝１９の上方エッジ２３と中央インレット溝１８の下方エッジ２４との間には、ポンプピストン１３のための第１の案内ウェブ２５が形成されており、中央インレット溝１８の上方エッジ２６と上方インレット溝１７の下方エッジ２７との間には、ポンプピストン１３のためのさらなる案内ウェブ２８が形成されている。中央インレット溝１８の溝の高さＢを介して、２つの案内ウェブ２５及び２８間の軸方向の間隔を調整することができる。
【００２１】
好ましくは、中央インレット溝１８は、ポンプピストン１３のピストンストロークＡよりも大きな軸方向の溝の高さＢを特徴とする。
【００２２】
とりわけ中央インレット溝１８の軸方向の溝の高さＢに対しては、式Ｂ＞Ａ−Ｃ１が当てはまり、ここで、Ａは駆動カム１４により決定されるポンプピストン１３のピストンストロークであり、Ｃ１は下方アウトレット溝１９の上方エッジ２３と中央インレット溝の下方エッジ２４との間の軸方向の間隔、すなわち下方案内ウェブ２５の軸方向の高さである。
【００２３】
図１から分かるように、下方アウトレット溝２２の下方ではポンプシリンダ１１の切欠部１２の領域に溝２９が形成されており、この溝の中にスクレーパエレメント３０が収容されている。ピストンシリンダ１１の溝２９の中に収容されているスクレーパエレメント３０は、好ましくはスクレーパリングであり、規定の接触点３１でポンプピストン１３に当接する。
【００２４】
とりわけ中央インレット溝１８の軸方向の溝の高さＢに対しては、式Ｂ＞Ａ−Ｃ１−Ｄが当てはまり、ここで、Ａはポンプピストン１３のピストンストロークであり、Ｃ１は下方アウトレット溝１９の上方エッジ２３から中央インレット溝１８の下方エッジ２４までの軸方向の間隔であり、Ｄは下方アウトレット溝１９の上方エッジ２３とスクレーパエレメント３０の接触点３１との間の軸方向の間隔である。
【００２５】
中央インレット溝１８の軸方向の溝の高さＢの上記構成により、上方インレット溝１７を中央インレット溝１８から分離する上方案内ウェブ２８の領域に、ポンプピストン１３に対する案内クリアランスを低減するワニスが形成され得るということを確実に回避することができる。
【００２６】
すでに上に述べたように、好ましくはコモンレール燃料システムの高圧燃料ポンプとして形成された燃料ポンプの２つのインレット溝１７、１８は、それらのインレット孔部２０、２１を介して１つの同じ圧力レベルに連通されており、とりわけコモンレール燃料システムの低圧領域の圧力レベルに連通されている。ここで、低圧領域の圧力レベルは、周囲圧よりも上にあり、低圧燃料ポンプを介して調整される。ポンプシリンダ１１の切欠部１２の、燃料がポンプピストン１３により圧縮される部分と上方インレット溝１７との間で生じる燃料ポンプ内部の燃料漏れのため、およびこの漏れの結果として伝播する圧力波のため、上方インレット溝１７内には、システムに起因して、中央インレット溝１８内よりも高い圧力が存在する。これにより、上方インレット溝１７から発して中央インレット溝１８の中へ、上方インレット溝１７を中央インレット溝１８から分離する案内ウェブ２８を介して燃料が搬送される。
【００２７】
上方インレット溝１７と中央インレット溝１８との間のこの圧力落差は、中央インレット溝１８に至るインレット孔部２１が少なくとも部分的に、上方インレット溝１７に至るインレット孔部２０よりも小さな横断面を有することにより、すなわち中央インレット溝１８に至るインレット孔部２１を絞らないことにより高めることができる。そして、これにより、上方インレット溝１７と中央インレット溝１８との間の圧力落差を高めることができ、ひいては潤滑および場合により冷却に用いられる燃料を、上方インレット溝１７から発して中央インレット溝１８の中へ、中央インレット溝１８を上方インレット溝１７から分離する上方案内ウェブ２８を介して搬送することを促進することができる。
【００２８】
下方アウトレット溝１９の領域では中央インレット溝１８の領域よりも常に低い圧力レベルが存在するため、中央インレット溝１８を下方アウトレット溝１９から分離する下方案内ウェブ２５の領域を介して常に十分な燃料の流れを調整することができる。
【００２９】
中央インレット溝１８から発して下方アウトレット溝１９の中に入る燃料の搬送は、図１に示すように、中央インレット溝１８に至るインレット孔部２１が中央インレット溝１８の下方領域に開口することによって、すなわち中央インレット溝１８を下方アウトレット溝１９から分離する下方案内ウェブ２５に直接隣接して、またはこれに対して面一に開口することによって改善することができる。
【００３０】
本発明の燃料ポンプ１０の上記構成の結果、ポンプピストン１３およびポンプシリンダ１１の領域におけるワニス形成の危険性が低減される。案内ウェブ２５及び２８を介して、形成される圧力落差の結果、潤滑および場合により冷却に使用される燃料の十分な燃料搬送が常に保証される。中央インレット溝１８の軸方向の溝の高さＢを寸法設定することにより、ポンプピストン１３のストローク運動があってもカム１４の領域で使用された潤滑剤が、上方インレット溝１７を中央インレット溝１８から分離する上方案内ウェブ２８の領域に達しないことが保証される。したがって、上方案内ウェブ２８のこの領域には、ワニス形成の危険性が発生しない。中央インレット溝１８を下方アウトレット溝１９から分離する下方案内ウェブ２５の領域には、確かにポンプピストン１３のストローク運動によってカム１４の領域で使用された潤滑剤が達することがあるが、しかしながら、中央インレット溝１８と下方アウトレット溝１９との間に大きな圧力差があることにより、下方案内ウェブ２５の領域でのワニス形成を阻止するような、下方案内ウェブ２５を介した大きい燃料の流れが存在する。
【００３１】
２つの案内ウェブ２５、２８により、ポンプピストン１３に対してそのストローク運動に沿った案内長が保証され、この案内長はピストン焼き付きの危険性をさらに低減する。ポンプピストン１３に対するそのストローク運動の際の案内長は、２つの案内ウェブ２５、２８の間隔に依存し、すなわち中央インレット溝１８の軸方向の溝の深さＢに依存する。
【００３２】
中央インレット溝１８の半径方向の溝の深さは、必要に応じて、相反する過程に影響を与えるために利用することができる。例えば比較的小さな半径方向の溝の深さが中央インレット溝１８に調整される場合には、燃料の流量が高められ、これにより、中央インレット溝１８の領域におけるワニス形成の危険性が低減され得る。中央インレット溝１８の半径方向の溝の深さが比較的大きい場合、この中央インレット溝の領域でのワニス形成の危険性は確かに高まるが、しかしながらワニス層は、中央インレット溝１８の領域での案内クリアランスの危機的な低減が予期される前により厚くなって欠落することができる。
【００３３】
２つの案内ウェブ２５、２８は、それらの領域におけるワニス形成の危険性を低減するために比較的短い軸方向の長さを有する。２つの案内ウェブ２５、２８が比較的短い軸方向の長さを有することにより、ポンプピストン１３および／または案内ウェブ２５、２８にワニスが形成される場合であっても、燃料ポンプ１０の機能性が維持される。なぜならこの場合でも、面積の小さな案内ウェブ２５、２８におけるポンプピストン１３の付着力は、駆動バネ１５の復帰力と比較して小さいからである。したがって案内ウェブ２５、２８の面積は好ましくは、ワニス形成の際に生じる付着力であって、案内ウェブ２５、２８の面積に依存する当該案内ウェブでのポンプピストン１３の付着力が、駆動バネ１５の復帰力よりも小さくなるように寸法設定されている。互いに軸方向の間隔を備える複数の案内ウェブ２５、２８が存在することにより、ポンプピストン１３に対して比較的大きな軸方向の案内長が保証され、これにより、とりわけ燃料の圧縮中または搬送中でのポンプピストンの最適の案内が保証される。全体として本発明により、燃料潤滑される燃料ポンプ、とりわけ重油により駆動される船舶ディーゼル内燃機関のコモンレール燃料システムの高圧燃料ポンプとして使用される燃料ポンプにおけるワニス形成の危険性、ひいてはピストン焼き付きの危険性を低減することができる。したがって全体的に本発明による燃料ポンプは、従来技術から公知の燃料ポンプよりも比較的長い寿命を有する。
【符号の説明】
【００３４】
１０  燃料ポンプ
１１  ポンプシリンダ
１２  切欠部
１３  ポンプピストン
１４  駆動カム
１５  駆動バネ
１６  支持エレメント
１７  インレット溝
１８  インレット溝
１９  アウトレット溝
２０  インレット孔部
２１  インレット孔部
２２  アウトレット孔部
２３  エッジ
２４  エッジ
２５  案内ウェブ
２６  エッジ
２７  エッジ
２８  案内ウェブ
２９  溝
３０  スクレーパエレメント
３１  接触点
３２  高圧孔部
【図１】
0006605274.tif 000002